(57)【要約】【課題】足全体を押し込む必要がなく、足の押し込み動作を軽減することができる地下足袋を提供する。【解決手段】本発明の地下足袋は、甲部から上方に、立ち上がり脚部が延設された地下足袋であって、前記甲部及び前記立ち上がり脚部の後側を縦割りにして形成される後開き部と、前記甲部及び前記立ち上がり脚部の前側を縦割りにして形成される前開き部と、前記後開き部を閉じるための面ファスナーと、前記前開き部を閉じるためのファスナーとを備えたことを特徴とする。【選択図】    図２
2004329591.tif 000002
【特許請求の範囲】
【請求項１】
甲部から上方に、立ち上がり脚部が延設された地下足袋であって、
前記甲部及び前記立ち上がり脚部の後側を縦割りにして形成される後開き部と、前記甲部及び前記立ち上がり脚部の前側を縦割りにして形成される前開き部と、前記後開き部を閉じるための面ファスナーと、前記前開き部を閉じるためのファスナーとを備えたことを特徴とする地下足袋。
【請求項２】
前記前開き部の一方の開き端の端縁に沿ってフラップを形成し、他方の開き端側の裏側を前記フラップとの重なり面とし、前記フラップ及び前記重なり面に面ファスナーを取り付けたことを特徴とする請求項１に記載の地下足袋。
【請求項３】
前記フラップに雄型面ファスナーを取り付け、前記重なり面に雌型面ファスナーを取り付けたことを特徴とする請求項２に記載の地下足袋。
【請求項４】
前記前開き部を閉じるためのファスナーはスライドファスナーであることを特徴とする請求項１に記載の地下足袋。
【発明の詳細な説明】
【０００１】
【発明の属する技術分野】
本発明は、足の出し入れを容易にするために後側の開き部を面ファスナーで留める形式の地下足袋に関する。
【０００２】
【従来の技術】
地下足袋は、掛糸にこはぜを引っ掛けて後開き部（踵側の開き部）を閉じるようになっているが、近年、後開き部を面ファスナーを用いて閉じるようにした地下足袋が提案されている（例えば、特許文献１参照。）。
【０００３】
この地下足袋によれば、後開き部をワンタッチで閉じることができるという利点がある。
【０００４】
しかしながら、地下足袋を履くためには、後開き部を押し開いた状態で足指を動かしながら足全体を地下足袋内に押し込む必要があるので、後開き部を閉じるまでの動作が面倒であることには変わりがなく、ソックスのように手軽に履くことが出来ないという問題があった。
【０００５】
特に、幼児は足全体が柔軟であるので、大人が履かせるにしても、幼児の足を地下足袋に押し込むのに苦労するという問題があった。また、身障者が地下足袋を履く場合でも、介護者に大きな負担を強いるという問題があった。
【０００６】
【特許文献１】
実開昭５９−６４００１号公報（全頁、全図）
【０００７】
【発明が解決しようとする課題】
本発明は、足全体を押し込む必要がなく、足の押し込み動作を軽減することができる地下足袋を提供する。
【０００８】
【課題を解決するための手段】
本発明の地下足袋は、甲部から上方に、立ち上がり脚部が延設された地下足袋であって、前記甲部及び前記立ち上がり脚部の後側を縦割りにして形成される後開き部と、前記甲部及び前記立ち上がり脚部の前側を縦割りにして形成される前開き部と、前記後開き部を閉じるための面ファスナーと、前記前開き部を閉じるためのファスナーとを備えたことを特徴とする。
【０００９】
また、前記前開き部の一方の開き端の端縁に沿ってフラップを形成し、他方の開き端側の裏側を前記フラップとの重なり面とし、前記フラップ及び前記重なり面に面ファスナーを取り付けるのが望ましい。
【００１０】
また、前記フラップに雄型面ファスナーを取り付け、前記重なり面に雌型面ファスナーを取り付けるのは望ましい。
【００１１】
また、前記前開き部を閉じるためのファスナーはスライドファスナーであっても良い。
【００１２】
【発明の実施の形態】
以下、本発明に係る地下足袋の実施の形態を、図面に基づいて説明する。
【００１３】
地下足袋は、ゴム底等なら成る底部１と、生地を縫製して形成される内側部材２及び外側部材３とを備え、底部１の周縁部には内側部材２及び外側部材３の下縁部が固定されている。
【００１４】
内側部材２は、親指爪甲部２１を有する内甲部２２と、該内甲部２２から上方に延びて脚の内側を包む立ち上がり内脚部２３とを備えている。また、外側部材３は四指爪甲部３１を有する外甲部３２と、該外甲部３２から上方に延びて脚の外側を包む立ち上がり外脚部３３とを備えている。
【００１５】
内側部材２と外側部材３とは、前側では内甲部２２と外甲部３２の下端同士のみが縫合されることによって、爪先側に前開き部４が形成され、また、後側でも内甲部２２と外甲部３２の下端同士のみが縫合されることによって、踵側に後開き部５が形成されている。
【００１６】
前開き部４の一方の開き端には全長にわたってフラップ６が形成され、該フラップの表面側には雄型面ファスナー７が縫合され、他方の開き端側の裏側はフラップ６との重なり面となっており、該重なり面には柔軟なループから成る雌型面ファスナー８が縫合されている。そして、フラップ６を重なり面に重ねて雄型面ファスナー７と雌型面ファスナー８とが掛合わされることによって前開き部４は閉じられるようになっている。
【００１７】
また、後開き部５の一方の開き端には全長にわたって後フラップ９が形成され、該後フラップ９の裏面側には雌型面ファスナー１０が縫合され、他方の開き端側の表側は後フラップ９の重なり面となっており、該重なり面には雄型面ファスナー１１が縫合されている。そして、後フラップ９を前記重なり面に重ねて雄型面ファスナー１１と雌型面ファスナー１０とが掛合わすことによって後開き部５は閉じられるようになっている。
【００１８】
なお、前記生地は表地と裏地から成り、フラップ６は裏地のみによって形成されている。これにより前甲部に面ファスナーを用いることによる前側の甲部の厚みを極力少なくできてゴワゴワ感の解消が図られる。
【００１９】
以上のように構成される地下足袋を履く場合には、図２のように前開き部４及び後開き部５を開いて内側部材２及び外側部材３を左右に拡げた状態にした後、二点鎖線で示すように足指を親指爪甲部２１と四指爪甲部３１に挿入して足を底部１の上に置き、図１のように内側部材２及び外側部材３を起こして足を包み込み、面ファスナー７，８，１０，１１によって後開き部５及び前開き部４を閉じる。
【００２０】
このように地下足袋内に足を挿入する動作の割合が少なくなるので、幼児であっても容易に履かせることができる。また、身体障害者や病人であっても、容易に履くことができ、介護者の負担を軽減させることができる。
【００２１】
また、図１のように前開き部４を閉じたときの開き端の接合ラインＬは、外甲部３２及び立ち上がり外脚部３３と内甲部２２及び立ち上がり内脚部２３とが縫い合わされる旧来の地下足袋の縫い合わせラインと一致するので、地下足袋のイメージが損なわれず、祭りなどに用いられても見る者に違和感を与えることがない。
【００２２】
なお、図４のように後開き部５を閉じた状態や、図５のように前開き部４を閉じた状態であっても履くことができるようになっている。
【００２３】
図６は、他の実施形態を示し、地下足袋の前開き端には面ファスナーに代えてスライドファスナー１２が取り付けられている。
【００２４】
【発明の効果】
以上の説明から明らかなように、本発明に係る地下足袋によれば、前開き部及び後開き部を開いて地下足袋を左右に拡げることができるので、幼児であっても容易に履かせることができ、身体障害者の自立にも役立つという効果を奏する。
【００２５】
また、前記前開き部の一方の開き端に全長にわたってフラップを形成し、他方の開き端側の裏側を前記フラップの重なり面とし、前記フラップ及び前記重なり面に面ファスナーを取り付ければ、前開き部を閉じたときの開き端の接合ラインは、旧来の地下足袋の縫い合わせラインと一致するので、地下足袋のイメージが損なわれない。
【００２６】
また、前記フラップに雄型面ファスナーを取り付け、前記重なり面に雌型面ファスナーを取り付ければ、雄型面ファスナーと雌型面ファスナーとがずれた状態で掛合わされたとしても、雌型面ファスナーの柔軟なループが使用者の足に当たることになるので、履き心地が損なわれない。
【００２７】
また、前記前開き部を閉じるファスナーをスライドファスナーで形成すれば、スライドファスナーを好む使用者の嗜好にも合わせることができる。
【図面の簡単な説明】
【図１】本発明の地下足袋に係る実施形態を示す斜視図である。
【図２】同実施形態を拡げた状態を示す斜視図である。
【図３】（ａ）は図１のＸ−Ｘ線断面図、（ｂ）は面ファスナーの掛合を解除した状態を示す断面図である。
【図４】同実施形態の他の状態を示す斜視図である。
【図５】同実施形態の他の状態を示す斜視図である。
【図６】本発明の地下足袋に係る他の実施形態を示す斜視図である。
【符号の説明】
１      底部
２      内側部材
３      外側部材
２２    内甲部
２３    立ち上がり内脚部
３２    外甲部
３３    立ち上がり外脚部
６      フラップ
７，１１      雄型面ファスナー
８，１０      雌型面ファスナー
【図１】
2004329591.tif 000003
【図２】
2004329591.tif 000004
【図３】
2004329591.tif 000005
【図４】
2004329591.tif 000006
【図５】
2004329591.tif 000007
【図６】
2004329591.tif 000008